(57)【要約】【課題】  サンルームの側面上端に換気窓を設置して夏場の熱気が夜間に残留するのを防止する。【解決手段】  片流れ屋根２の妻垂木２３と妻梁２８の間に，傾斜上框３１と，左右に異長の縦框３４と，水平下框３３とを框組みして異形の台形に形成した換気窓３を，水平下框３３にヒンジ３５連結して配置し，妻垂木２３に一対の連結アーム４０を軸支する一方，これら連結アーム４０に形成したスライド溝４１に傾斜上框３１の係合軸３２をスライド案内することによって換気窓３の最大開成角度を規制し且つロック装置６０を配置して換気窓３のロックを可能とし，一対の連結アーム４０の軸支と係合軸３２の案内をそれぞれ上下に揺動自在とすることによって，連結アーム４０の傾斜上框３１の回動に追従した室内側突出と妻垂木２３下位への没入の動作をなし得るようにする。【選択図】  図２
2007247176.tif 000002
【特許請求の範囲】
【請求項１】
片流れ屋根における妻垂木の傾斜角度に合せて前傾した傾斜上框と上記妻垂木の下位に配置した妻梁にヒンジ連結した水平下框とを備えて異形の台形に形成し，上記妻垂木と傾斜上框間に一対の連結アームを配置してこれらを連結することによって最大開成角度を規制し且つロック装置によって閉鎖自在とした内倒し又は外倒にして異形台形の換気窓を備えたサンルームであって，妻垂木長手方向に離隔設置した一対のブラケットに上記一対の連結アームの各一端を軸支するとともに該一対の連結アームの中間位置から他端側に向けて配置した各スライドガイドに傾斜上框の長手方向に離隔設置した一対の係合軸をそれぞれスライド自在に案内するとともに該連結アームの上記ブラケットによる軸支とそのスライドガイドによる係合軸のスライド案内をそれぞれ上下に揺動自在として上記連結アームの傾斜上框回動の追従突出と妻垂木下位への没入動作を自在としてなることを特徴とする換気窓付サンルーム。
【請求項２】
上記妻垂木と妻梁間の室外側に網戸を設置し，上記換気窓を室内側に向けて回動開閉する内倒し換気窓としてなること特徴とする請求項１に記載の換気窓付サンルーム。
【請求項３】
上記妻垂木に対する連結アームの配置を，該妻垂木の下面に設置しこれと傾斜角度を合せて前傾した傾斜上枠に対して間接的に行ってなることを特徴とする請求項１又は２に記載の換気窓付サンルーム。
【請求項４】
上記ロック装置を，スプリングにより上方に向けて付勢して上記傾斜上框を貫通して上端に係止部を，下端に引掛部を有して該傾斜上框に内外方向揺動自在に配置した断面Ｓ字状の係止金具と，該係止金具の係止部を摺動する摺動用突片と該摺動用突片の奥行方向後端に該係止部を上記連結アームの妻垂木下位への没入位置で上記スプリングの付勢力によって弾発的に係止する係止孔を有して上記妻垂木に配置したプレート状の受金具とを備えて形成してなることを特徴とする請求項１，２又は３に記載の換気窓付サンルーム。
【請求項５】
上記妻垂木に対する受金具の配置を，該妻垂木の下面に設置しこれと傾斜角度を合せて前傾した傾斜上枠に対して間接的に行ってなることを特徴とする請求項３に記載の換気窓付サンルーム。上記妻垂木に対する受金具の配置を，該妻垂木の下面に設置しこれと傾斜角度を合せて前傾した傾斜上枠に対して間接的に行ってなることを特徴とする請求項３に記載の換気窓付サンルーム。
【発明の詳細な説明】
【技術分野】
【０００１】
本発明はサンルームに関し，特に側面上端に換気窓を配置した換気窓付サンルームに関する。
【背景技術】
【０００２】
この種サンルームは，建物開口部の壁面から庭側に突出するように形成した片流れ屋根のものとされており，本出願人は，該片流れ屋根のサンルームの形態として，従前の正面又は正面と側面を開放し得るものに代えて，該正面を嵌め殺し部とする一方，片側乃至両側の側面に折畳戸や引戸を配置することによって開口を側面に配置したものを提案済みであり，例えばサンルーム出幅方向に隣家が存在したり，道路が存在したりする敷地に設置使用することにより，隣家に対する配慮をなし得るとともに内外の騒音を可及的に遮断して，都市部における需要に適したものとすることができる。
【０００３】
【特許文献１】特願２００６−５９８６０
【発明の開示】
【発明が解決しようとする課題】
【０００４】
一般にサンルームは直射日光を受けるために，特に夏場は高温となり，夜間にも熱気が残留することによって建物室内の不快感を高めることになり易く，上記正面を開放し得るものに比して，これを嵌め殺し部としたサンルームにあっては，その傾向が更に強まる可能性が残り，この点の解決が望まれる。
【０００５】
この点の解決に換気窓を設置することが有効であるが，サンルームは上記建物開口部の壁面から庭側に片流れ屋根を突出しているから，室内の最も高位置の屋根最奥部の熱気を排出するためには換気窓をサンルームの側面上端に設置することが好ましい。しかし該側面上端に換気窓を設置すると片流れ屋根の下面に沿ってこれを設置して開閉し得るようにする必要があり，構造が複雑になるとともに高所であるために開閉が煩雑となる可能性が残る。
【０００６】
本発明はかかる事情に鑑みてなされたもので，その解決課題とするところは，片流れ屋根に沿って可及的簡易な構造にして開閉を容易になし得るようにした換気窓を配置することによって，夏場の夜間における熱気残留を可及的に防止して建物室内の不快感を可及的に解消することができるようにした換気窓付サンルームを提供するにある。
【課題を解決するための手段】
【０００７】
上記課題に沿って本発明は，片流れ屋根の妻垂木の傾斜に合せて傾斜した傾斜上框と，妻垂木の下位に配置した水平の妻梁に合せた水平下框とを備えた，前後に屋根突出側の前方を高く，建物壁面側の後方を低くした異形の台形に形成した換気窓を用い，その水平下框を妻梁に対してヒンジ連結してその内倒し又は外倒し開閉を自在とし，該換気窓の最大開成角度を妻垂木と傾斜上框間に配置した一対の連結アームによって規制し，同じく妻垂木と傾斜上框間に配置したロック装置によって換気窓を閉鎖自在とする一方，上記一対の連結アームの設置を妻垂木に軸支するとともに該連結アームにスライドガイドを形成して該スライドガイドに傾斜上框の係合軸をスライド自在に案内し且つこれら妻垂木に対する連結アームの軸支及び該連結アームによる係合軸の案内をそれぞれ上下に揺動自在に行うようにして，一対の連結アームの傾斜上框回動に対する追従突出と妻垂木下位への没入動作を自在とすることによって換気窓のスムーズ且つ確実な開閉をなし得るようにしたものであって，即ち請求項１に記載の発明を，片流れ屋根における妻垂木の傾斜角度に合せて前傾した傾斜上框と上記妻垂木の下位に配置した妻梁にヒンジ連結した水平下框とを備えて異形の台形に形成し，上記妻垂木と傾斜上框間に一対の連結アームを配置してこれらを連結することによって最大開成角度を規制し且つロック装置によって閉鎖自在とした内倒し又は外倒にして異形台形の換気窓を備えたサンルームであって，妻垂木長手方向に離隔設置した一対のブラケットに上記一対の連結アームの各一端を軸支するとともに該一対の連結アームの中間位置から他端側に向けて配置した各スライドガイドに傾斜上框の長手方向に離隔設置した一対の係合軸をそれぞれスライド自在に案内するとともに該連結アームの上記ブラケットによる軸支とそのスライドガイドによる係合軸のスライド案内をそれぞれ上下に揺動自在として上記連結アームの傾斜上框回動の追従突出と妻垂木下位への没入動作を自在としてなることを特徴とする換気窓付サンルームとしたものである。
【０００８】
請求項２に記載の発明は，上記に加えて，換気窓を内倒し窓としてその室外側に網戸を設置した好ましい形態のものとするように，これを，上記妻垂木と妻梁間の室外側に網戸を設置し，上記換気窓を室内側に向けて回動開閉する内倒し換気窓としてなること特徴とする請求項１に記載の換気窓付サンルームとしたものである。
【０００９】
請求項３に記載の発明は，同じく上記に加えて妻垂木に換気窓の傾斜上枠を配置し，該傾斜上枠と傾斜上框間に上記連結アームを配置することによって，妻垂木を該換気窓設置のための専用形状とすることなく，その各種サンルームにおける汎用性を確保し得るものとするように，これを，上記妻垂木に対する連結アームの配置を，該妻垂木の下面に設置しこれと傾斜角度を合せて前傾した傾斜上枠に対して間接的に行ってなることを特徴とする請求項１又は２に記載の換気窓付サンルームとしたものである。
【００１０】
請求項４に記載の発明は，同じく上記に加えて，ロック装置を，傾斜上框側の断面Ｓ字状の係止金具と妻垂木側のプレート状の受金具とによる簡易な構造とするとともに上記連結アームが妻垂木下位に没入した状態で確実なロックをなし得る一方，例えば操作杆で引掛って係止金具を引下げて該ロックの解除を確実になし得るものとするように，これを，上記ロック装置を，スプリングにより上方に向けて付勢して上記傾斜上框を貫通して上端に係止部を，下端に引掛部を有して該傾斜上框に内外方向揺動自在に配置した断面Ｓ字状の係止金具と，該ラッチ金具の係止部を摺動する摺動用突片と該摺動用突片の奥行方向後端に該係止部を上記連結アームの妻垂木下位への没入位置で上記スプリングの付勢力によって弾発的に係止する係止孔を有して上記妻垂木に配置したプレート状の受金具とを備えて形成してなることを特徴とする請求項１，２又は３に記載の換気窓付サンルーム。
【００１１】
請求項５に記載の発明は，同じく上記に加えて，請求項３と同様に妻垂木を上記受金具設置のための専用形状とするのを避けるように，これを，上記妻垂木に対する受金具の配置を，該妻垂木の下面に設置しこれと傾斜角度を合せて前傾した傾斜上枠に対して間接的に行ってなることを特徴とする請求項３に記載の換気窓付サンルームとしたものである。
【００１２】
本発明はこれらをそれぞれ発明の要旨として上記課題解決の手段としたものである。
【発明の効果】
【００１３】
本発明は以上のとおりに構成したから，請求項１に記載の発明は，片流れ屋根の妻垂木の傾斜に合せて傾斜した傾斜上框と，妻垂木の下位に配置した水平の妻梁に合せた水平下框とを備えた，前後に屋根突出側の前方を高く，建物壁面側の後方を低くした異形の台形に形成した換気窓を用い，その水平下框を妻梁に対してヒンジ連結してその内倒し又は外倒し開閉を自在とし，該換気窓の最大開成角度を妻垂木と傾斜上框間に配置した一対の連結アームによって規制し，同じく妻垂木と傾斜上框間に配置したロック装置によって換気窓を閉鎖自在とする一方，上記一対の連結アームの設置を妻垂木に軸支するとともに該連結アームにスライドガイドを形成して該スライドガイドに傾斜上框の係合軸をスライド自在に案内し且つこれら妻垂木に対する連結アームの軸支及び該連結アームによる係合軸の案内をそれぞれ上下に揺動自在に行うようにして，一対の連結アームの傾斜上框回動に対する追従突出と妻垂木下位への没入動作を自在とすることによって換気窓のスムーズ且つ確実な開閉を容易になし得るようにして，夏場の夜間における熱気残留を可及的に防止して建物室内の不快感を可及的に解消することができるようにした換気窓付サンルームを提供することができる。
【００１４】
請求項２に記載の発明は，上記に加えて，換気窓を内倒し窓としてその室外側に網戸を設置した好ましい形態のものとすることができる。
【００１５】
請求項３に記載の発明は，同じく上記に加えて妻垂木に換気窓の傾斜上枠を配置し，該傾斜上枠と傾斜上框間に上記連結アームを配置することによって，妻垂木を該換気窓設置のための専用形状とすることなく，その各種サンルームにおける汎用性を確保し得るものとすることができる。
【００１６】
請求項４に記載の発明は，同じく上記に加えて，ロック装置を，傾斜上框側の断面Ｓ字状の係止金具と妻垂木側のプレート状の受金具とによる簡易な構造とするとともに上記連結アームが妻垂木下位に没入した状態で確実なロックをなし得る一方，例えば操作杆で引掛って係止金具を引下げて該ロックの解除を確実になし得るものとすることができる。
【００１７】
請求項５に記載の発明は，同じく上記に加えて，請求項３と同様に妻垂木を上記受金具設置のための専用形状とするのを避けることができる。
【発明を実施するための最良の形態】
【００１８】
以下図面の例に従って本発明を更に具体的に説明すれば，Ａはサンルームであり，該サンルームＡは，四隅の支柱１と，該四隅の支柱１上に配置した片流れ屋根２と，両側面において上位に配置した換気窓３と，該換気窓３の下位に配置した折畳戸４と，正面において該正面を閉塞するように配置した嵌め殺し部５とを備えたものとした，例えばアルミ製のものとしてある。
【００１９】
片流れ屋根２は，上記四隅のうち建物壁面に沿って立設した一対の支柱１上に配置した垂木掛２１と庭側に立設した他の一対の支柱１上に配置した桁２２間に，その幅方向両側において妻垂木２３を，該妻垂木２３の中間において垂木２６をそれぞれ前傾して架設固定してそのフレーム構造をなすとともに上記妻垂木２３と垂木２６間及び各垂木２６間に屋根パネル２７を載置し該妻垂木２３及び垂木２６上にそれぞれ垂木カバーを載置固定して該屋根パネル２７を挟持固定することによって建物壁面から庭側に前傾したものとして形成してある。
【００２０】
換気窓３は，片流れ屋根２における妻垂木２３の傾斜角度に合せて前傾した傾斜上框３１と上記妻垂木２３の下位に配置した妻梁２８にヒンジ３５連結した水平下框３３とを備えて異形の台形に形成し，上記妻垂木２３と傾斜上框３１間に一対の連結アーム４０を配置してこれらを連結することによって最大開成角度を規制し且つロック装置６０によって閉鎖自在とした内倒し又は外倒しにして異形台形のものとしてあり，このとき本例のサンルームＡにあって，上記妻垂木２３と妻梁２８間の室外側に網戸３６を設置し，上記換気窓３を室内側に向けて回動開閉する内倒し換気窓とし，また上記上記妻垂木２３に対する連結アーム４０の配置を，該妻垂木２３の下面に設置しこれと傾斜角度を合せて前傾した傾斜上枠２４に対して間接的に行ったものとしてある。
【００２１】
本例の換気窓３は，上記傾斜上框３１と水平下框３３の端部に，建物側において１０ｃｍ程度，庭側において５０ｃｍ程度の，建物側で短く，庭側で長い異長の縦框３４を配置して框組みし，該框組内にガラス乃至樹脂のパネルを嵌着することによって，例えば横幅を傾斜屋根に合せて２．５ｍ程度としてある。
【００２２】
上記一対の連結アーム４０は，その各一端を妻垂木２３，本例にあっては傾斜上枠３１長手方向に離隔設置した一対のブラケット５０に軸支するとともにその中間位置から他端側に向けて配置した各スライドガイド４１に傾斜上框３１の長手方向に離隔設置した一対の係合軸３２をそれぞれスライド自在に案内するものとしてあり，このとき該連結アーム４０の上記ブラケット５０による軸支とそのスライドガイド４１による係合軸３２のスライド案内をそれぞれ上下に揺動自在として上記連結アーム４０の傾斜上框３１回動の追従突出と妻垂木２３下位への没入動作を自在とし，これによって，一般に内倒し窓又は外倒し窓は，窓枠の縦枠と縦框間に連結アームを配置するものとされるところ，特に建物壁面側の縦框３４が短尺であるために，該縦框３４に対する連結アーム４０の配置が適当でなく，上記妻垂木２３，本例にあっては傾斜上枠２４と傾斜上框３１に連結アーム４０を配置して，開閉に際して回動する傾斜上框３１を連結し乍らも，該換気窓３のスムーズ且つ確実な開閉を容易になし得るようにしてある。
【００２３】
連結アーム４０は，長手方向一端に軸支孔を，長手方向中間位置から他端側に向けてスライドガイド４１，本例にあってはスライド用の長孔をそれぞれ透設した金属プレートによるものとしてあり，またブラケット５０は，例えば起立片５１と係合軸５３を設置した支持片５２とを備えた断面逆Ｌ字状のプレート金具とし，その起立片５１を妻垂木２３，本例にあっては傾斜上枠２４の垂直面にネジ止めし，係合軸５３が妻垂木２３乃至該傾斜上枠２４間に位置するように，これらの長手方向中間位置の２ヶ所に固定してある。
【００２４】
該一対の連結アーム４０は，その軸支孔に上記支持片５２の係合軸５３を受入係合することによって，妻垂木２３のブラケット５０にその長手方向一端を軸支して該妻垂木２３位置から，その回動によって，本例にあって室内側に向けて突出するように配置してある。
【００２５】
傾斜上框３１の係合軸３２は，例えば該傾斜上框３１の長手方向中間にして，上記妻垂木２３，本例にあっては傾斜上枠２４の連結アーム４０軸支位置より中央側に変位して該連結アーム４０の設置間隔より狭い間隔でその設置を行ってあり，これによって一対の連結アーム４０に係合したとき，換気窓３の開成時に該連結アーム４０が傾斜上框３１から妻垂木２３側に向けて拡開してハ字状に回動突出するようにしてある。
【００２６】
傾斜上框３１の係合軸３２は，上記連結アーム４０のスライド長孔としたスライドガイド４１によって該連結アーム４０の長手方向に向けて案内自在としてあり，このとき該連結アーム４０は，その長手方向一端を妻垂木２３，本例にあっては傾斜上枠２４に軸支したことにより，連結アーム４０長手方向への係合軸３２の案内は，連結アーム４０が回動しながら係合軸３２がスライドガイド４１中間の終端位置に達して該連結アーム４０が係合軸３２を定位置に保持する結果，換気窓３はその最大開成角度に保持され，該一対の連結アーム４０が換気窓３の開成状態を維持してその換気をなし得るようにしてある。本例にあって換気窓３の最大開成角度は，これを，換気をなし得る程度の３０度以下，例えば１５度程度といった比較的狭い角度の開成を行う角度としてある。
【００２７】
傾斜上框３１は，その開閉に際してヒンジ３５位置を中心として該ヒンジ３５位置と傾斜上框３１の係合軸３２位置間の距離を回動半径として回動するため，その係合軸３２をスライド案内する連結アーム４０は，これを上下に揺動自在とすることによって該係合軸３２，即ち傾斜上框３１上端の回動軌跡に追従して，換気窓３の開成に伴って室内側に向けた上記ハ字状の回動突出と，換気窓３の閉成に伴って妻垂木２３，本例にあっては傾斜上枠２４と傾斜上框３１間への，これらに平行且つ重合した回動没入をなし得るようにしてあり，本例において該連結アーム４０の揺動は，上記妻垂木２３，即ち傾斜上枠２４に設置したブラケット５０との軸支を，例えば該ブラケット５０に起立した上端外れ止めを有する係合軸５３を長めとするとともに連結アーム４０の上記軸支孔を該係合軸５３より径大とすることによってこれを可能とし，また傾斜上框３１の，同じく上端外れ止めを有する係合軸３２を長めとするとともに連結アーム４０の上記スライドガイド４１を該係合軸３２より幅広とすることによってこれを可能としてある。このとき連結アーム４０は，上記係合軸３２の配置位置によって定まる回動半径に応じた長さのものとすることができるが，本例にあっては該連結アーム４０を回動半径の大きい側の係合軸３２に合せた長さとしてこれを一対の係合軸３２の案内用として共通に使用してあり，これによって，本例にあって該連結アーム４０の上記ハ字状の回動突出は，回動半径の大きい方で拡開角度が大，回動角度の小さい方で拡開角度が小となるようにこれを行ってある。
【００２８】
本例にあって上記ロック装置６０は，これを，スプリング７１により上方に向けて付勢して上記傾斜上框３１を貫通して上端に係止部６３を，下端に引掛部６６を有して該傾斜上框３１に内外方向揺動自在に配置した断面Ｓ字状の係止金具６１と，該係止金具６１の係止部６３を摺動する摺動用突片６９と該摺動用突片６９の奥行方向後端に該係止部６３を妻垂木２３下位への没入位置で上記スプリング７１の付勢力によって弾発的に係止する係止孔７０を有して上記妻垂木２３，本例にあっては傾斜上枠２４に配置したプレート状の受金具６７とを備えて形成してあり，本例にあって上記妻垂木２３に対する受金具６７の配置は，上記ブラケット５０と同様に，これを，該妻垂木２３に設置しこれと傾斜角度を合せて前傾した傾斜上枠２４に対して間接的に行ったものとしてある。
【００２９】
本例の係止金具６１は，上下の垂直片６２，６５と該垂直片６２，６５を連結する連結片６４によって上記断面Ｓ字状に形成し，上位の垂直片６２の上端を係止部６３とし，また下位の垂直片６５に，本例において透孔とした上記引掛部６６を配置してあり，該係止金具６１は，上記傾斜上框３１の長手方向中間位置における室外側の上下に透設し，下位を内外方向に幅広とした切欠孔に，その上位の垂直片６２を傾斜上框３１から上下に突出し，連結片６４と下位の垂直片６５を該傾斜上框３１の下位から下向きに垂下するようにこれを配置してある。このとき傾斜上框３１には，上端をこれに固定し，下端を該傾斜上框３１を貫通してその下位に位置する連結片６５に固定することによって係止金具６１の上記上位の垂直片６２を室外側に向けて付勢するように上記スプリング７１を内蔵してあり，該スプリング７１によって上記係止金具６１をその付勢力に抗して回動状に揺動するとともにその係止部６３を受金具６７の係止孔７０に弾発的に係止するようにしてある。
【００３０】
受金具６７は，本例にあって上記ブラケット５０と同様に上記傾斜上枠２４の垂直面にネジ固定した固定片６８と該固定片６８の上端から内側に下向き傾斜した上記摺動用突片６９を備えた倒Ｌ字状のものとしてあり，換気窓３の閉成動に応じて上記スプリング７１で付勢した係止金具６１の係止部６３が上記下向き傾斜の摺動用突片６９を摺動してその係止孔７０に至って該係止孔７０に係止することによって換気窓３をロックする一方，該係止金具６１の引掛部６３を下方に引寄せることによってスプリング７１の付勢力に抗して係止部を摺動用突片６９の係止孔７０から下方に脱出するとともに下方引寄せによって該係止金具６１を回動状に揺動し係止孔７０から脱出した係止部６３が摺動用突片６９を室内側に摺動してこれから外れることによって換気窓３のロックを解除するようにしてある。このとき上記係止部６３と係止孔７０の位置関係を，上記連結アーム４０の妻垂木２３下位への没入位置に合せて設定してあり，これにより換気窓３の閉成によってロックを自動的になし得るものとしてある。
【００３１】
従って，先端に上記引掛部６６に引掛自在なフックを有する操作杆を用いて，該操作杆で換気窓３の上方を押圧することによって換気窓３のロックを行うとともに該操作杆のフックを引掛部６６に引掛けて係止金具６１を下方に引寄せることによって換気窓３のロック解除を行うようにすることができ，該操作杆は，例えば天井面にカーテンを設置したときにそのカーテン開閉用に用いる操作杆がフックを備えるものとされるから，一般にこれと共用することができる。
【００３２】
以上のように形成したサンルームＡは，上記換気窓３を開けることによって室内の換気を行う結果，夏場でも熱気を外部に放出することができ，夜間の熱気残留を可及的に防止して建物室内の不快感を可及的に解消することができる。即ち正面を嵌め殺し部５とし，側面に折畳戸４を配置するとともに該換気窓３を両側面の上端に形成し，屋根のカーテンを閉めた本例のサンルームＡによって，換気窓３を開成した場合と，換気窓３を閉成した場合の双方について夏場の晴天の日にその不快指数を測定したところ，屋外日陰の不快指数をゼロとすると，午前８時頃から共に不快指数が上昇し，ピーク時に屋外に対して３０から５０程度アップするが，ピークを過ぎると，換気窓３を開成した前者にあっては不快指数が急激に低下して，午後５時頃から屋外と同程度となる一方，換気窓３を閉成した後者にあっては不快指数の低下が緩やかで，午前０時頃の不快指数は屋外に対してなお１０程度アップした状態であり，従って換気窓３の配置とその使用によって，夏場の夜間における熱気残留を可及的に防止して建物室内の不快感を可及的に解消することができる。
【００３３】
図示した例は以上のとおりとしたが，妻垂木に対する連結アームの配置を，該妻垂木にブラケットを直接に固定することにより，該妻垂木と傾斜上框間に直接に行うようにすること，ヒンジ連結を丁番金具によって行うこと，網戸の設置を省略して換気窓を外倒し窓とすること等を含めて，本発明の実施に当って，サンルーム，片流れ屋根，妻垂木，換気窓，傾斜上框，水平下框，係合軸，ヒンジ，連結アーム，ブラケット等の各具体的形状，構造，材質，これらの関係，これらに対する付加等は，上記発明の要旨に反しない限り，様々な形態のものとすることができる。
【図面の簡単な説明】
【００３４】
【図１】サンルームの斜視図である。
【図２】換気窓の縦断面図である。
【図３】受金具位置の拡大縦断面図である。
【図４】係止金具位置の拡大縦断面図である。
【図５】換気窓の横断面図である。
【図６】換気窓の開成状態を示す上端の端面図である。
【図７】換気窓とサンルームの関係を示す一部の分解斜視図である。
【図８】換気窓のロック装置部分の縦断面図である。
【図９】ロック装置のロック状態を示す縦断面図である。
【図１０】ロック装置のロック解除状態を示す縦断面図である。
【符号の説明】
【００３５】
Ａ  サンルーム
１  支柱
２  片流れ屋根
３  換気窓
４  折畳戸
５  嵌め殺し部
２１  垂木掛
２２  桁
２３  妻垂木
２４  傾斜上枠
２５  縦枠
２６  垂木
２７  屋根パネル
２８  妻梁
３１  傾斜上框
３２  係合軸
３３  水平下框
３４  縦框
３５  ヒンジ
３６  網戸
４０  連結アーム
４１  スライドガイド
５０  ブラケット
５１  起立片
５２  支持片
５３  係合軸
６０  ロック装置
６１  係止金具
６２  垂直片
６３  係止部
６４  連結片
６５  垂直片
６６  引掛部
６７  受金具
６８  固定片
６９  摺動用突片
７０  係止孔
７１  スプリング
【図１】
2007247176.tif 000003
【図２】
2007247176.tif 000004
【図３】
2007247176.tif 000005
【図４】
2007247176.tif 000006
【図５】
2007247176.tif 000007
【図６】
2007247176.tif 000008
【図７】
2007247176.tif 000009
【図８】
2007247176.tif 000010
【図９】
2007247176.tif 000011
【図１０】
2007247176.tif 000012